(57)【要約】【課題】電子装置に無線充電パッドに関する情報を表示するための方法及び装置を提供する。【解決手段】電子装置の無線充電パッドに関する情報を表示するための方法は、前記無線充電パッドの位置、前記無線充電パッドに接続されて無線充電を行っている端末の個数、前記無線充電パッドの名称、前記無線充電パッドの充電効率、前記無線充電パッドの無線充電範囲、及び最大無線充電効率が得られる電子装置の方向のような無線充電パッドに関する情報を受信する段階と、複数の無線充電パッドに関する情報を表示する、又は無線充電効率に応じて、ランプ色を決定して動作させる段階と、を含み、ユーザに視覚的に無線充電パッドに関する情報を提供できる利点がある。【選択図】図１３
2014135885.tif 000002
【特許請求の範囲】
【請求項１】
電子装置の無線充電パッドに関する情報を表示するための方法であって、
前記電子装置が、複数の無線充電パッドに関する情報を受信する段階と、
前記電子装置が、前記複数の無線充電パッドに関する情報を画面に表示する段階と、を含むことを特徴とする方法。
【請求項２】
前記無線充電パッドに関する情報は、
前記無線充電パッドの位置、及び前記無線充電パッドに接続されて無線充電を行っている端末の個数、前記無線充電パッドの名称、前記無線充電パッドの充電効率、及び前記無線充電パッドの無線充電範囲のうち少なくとも１つ以上を含むことを特徴とする請求項１に記載の方法。
【請求項３】
前記複数の無線充電パッドに関する情報を表示する段階は、
特定のアプリケーションを実行する段階と、
前記特定のアプリケーションを介して前記複数の無線充電パッドに関する情報を表示する段階と、を含むことを特徴とする請求項１に記載の方法。
【請求項４】
前記特定のアプリケーションはマップアプリケーションであることを特徴とする請求項３に記載の方法。
【請求項５】
前記複数の無線充電パッドに関する情報を受信する段階は、
前記電子装置が、前記複数の無線充電パッドに関する情報を特定のサーバに要求する要求メッセージを送信する段階と、
前記電子装置が、前記特定のサーバから前記複数の無線充電パッドに関する情報を受信する段階と、を含むことを特徴とする請求項１に記載の方法。
【請求項６】
前記複数の無線充電パッドに関する情報を前記特定のサーバに要求する際、前記要求メッセージは前記電子装置の位置情報を含み、
前記複数の無線充電パッドは、前記電子装置の位置周辺に存在する無線充電パッドであることを特徴とする請求項５に記載の方法。
【請求項７】
前記複数の無線充電パッドに関する情報を受信する段階は、
前記電子装置の周辺に存在する無線充電パッドをスキャンする段階を含むことを特徴とする請求項１に記載の方法。
【請求項８】
前記電子装置の周辺に存在する無線充電パッドをスキャンする段階は、
前記電子装置が、それぞれの無線充電パッドとＰ２Ｐ（Ｐｅｅｒ  ｔｏ  Ｐｅｅｒ）通信を設定する段階と、
前記電子装置が、前記設定されたそれぞれのＰ２Ｐ通信を介して、無線充電パッドに関する情報を獲得する段階と、を含むことを特徴とする請求項７に記載の方法。
【請求項９】
電子装置の無線充電パッドに関する情報を表示するための方法であって、
前記電子装置が、特定の機器から、無線充電パッドの一面が向いている第１方向に関する情報を受信する段階と、
前記電子装置が、前記無線充電パッドの第１方向と電子装置の一面が向いている第２方向とを比較して、最大無線充電効率が得られる方向になるように前記電子装置の第３方向を表示する段階と、を含むことを特徴とする方法。
【請求項１０】
前記特定の機器は、サーバ又は前記無線充電パッドであることを特徴とする請求項９に記載の方法。
【請求項１１】
前記電子装置の前面又は後面が向いている前記第２方向を測定する段階をさらに含むことを特徴とする請求項９に記載の方法。
【請求項１２】
前記電子装置の第３方向は、
前記無線充電パッドの一面が向いている方向と前記電子装置の一面とが垂直になるようにする方向であることを特徴とする請求項９に記載の方法。
【請求項１３】
前記電子装置の第３方向を表示する段階は、
現在電子装置の無線充電効率がしきい値より低い時、又は初期無線充電を開始する時に表示されることを特徴とする請求項９に記載の方法。
【請求項１４】
電子装置の無線充電パッドに関する情報を表示するための方法であって、
前記電子装置が、無線充電パッドに接続されて無線充電を開始する段階と、
無線充電を行う間、前記電子装置が、無線充電効率を計算する段階と、
前記電子装置が、前記計算された無線充電効率に相応する結果を出力する段階と、を含むことを特徴とする方法。
【請求項１５】
前記無線充電効率は、
全体無線充電効率と前記電子装置のバッテリ消耗との差で決定され、
前記全体無線充電効率は、
前記無線充電パッドの出力電力と入力電力との割合で決定されることを特徴とする請求項１４に記載の方法。
【請求項１６】
前記計算された無線充電効率に相応する結果を出力する段階は、
前記無線充電効率に応じて、ランプ色を決定する段階と、
前記決定されたランプ色でランプを動作させる段階と、を含むことを特徴とする請求項１４に記載の方法。
【請求項１７】
前記計算された無線充電効率に相応する結果を出力する段階は、
前記計算された無線充電効率に相応する結果を示す指標（ｉｎｄｉｃａｔｏｒ）、テキスト又は音声に変換する段階と、
前記変換された指標、テキスト又は音声で出力する段階を含むことを特徴とする請求項１４に記載の方法。
【請求項１８】
１つ以上のプロセッサ、メモリ、及び前記メモリに格納されており前記１つ以上のプロセッサによって実行されるように構成される１つ以上のプログラムを含む電子装置であって、
前記プログラムは、
複数の無線充電パッドに関する情報を受信し、
前記複数の無線充電パッドに関する情報を画面に表示する命令を含むことを特徴とする電子装置。
【請求項１９】
前記無線充電パッドに関する情報は、
前記無線充電パッドの位置、前記無線充電パッドに接続されて無線充電を行っている端末の個数、前記無線充電パッドの名称、前記無線充電パッドの充電効率、及び前記無線充電パッドの無線充電範囲のうち少なくとも１つ以上を含むことを特徴とする請求項１８に記載の電子装置。
【請求項２０】
前記複数の無線充電パッドに関する情報を表示する命令は、
特定のアプリケーションを実行し、
前記特定のアプリケーションを介して前記複数の無線充電パッドに関する情報を表示する命令を含むことを特徴とする請求項１８に記載の電子装置。
【請求項２１】
前記特定のアプリケーションはマップアプリケーションであることを特徴とする請求項２０に記載の電子装置。
【請求項２２】
前記複数の無線充電パッドに関する情報を受信する命令は、
前記複数の無線充電パッドに関する情報を特定のサーバに要求する要求メッセージを送信し、
前記特定のサーバから前記複数の無線充電パッドに関する情報を受信する命令を含むことを特徴とする請求項１８に記載の電子装置。
【請求項２３】
前記複数の無線充電パッドに関する情報を前記特定のサーバに要求する際、前記要求メッセージは前記電子装置の位置情報を含み、
前記複数の無線充電パッドは、前記電子装置の位置周辺に存在する無線充電パッドであることを特徴とする請求項２２に記載の電子装置。
【請求項２４】
前記複数の無線充電パッドに関する情報を受信する命令は、
前記電子装置の周辺に存在する無線充電パッドをスキャンする命令を含むことを特徴とする請求項１８に記載の電子装置。
【請求項２５】
前記電子装置の周辺に存在する無線充電パッドをスキャンする命令は、
それぞれの無線充電パッドとＰ２Ｐ（Ｐｅｅｒ  ｔｏ  Ｐｅｅｒ）通信を設定し、
前記設定されたそれぞれのＰ２Ｐ通信を介して、無線充電パッドに関する情報を獲得する命令を含むことを特徴とする請求項２４に記載の電子装置。
【請求項２６】
１つ以上のプロセッサ、メモリ、及び
前記メモリに格納されており前記１つ以上のプロセッサによって実行されるように構成される１つ以上のプログラムを含む電子装置であって、
前記プログラムは、
特定の機器から、無線充電パッドの一面が向いている第１方向に関する情報を受信し、
前記無線充電パッドの第１方向と電子装置の一面が向いている第２方向とを比較して、最大無線充電効率が得られる方向になるように前記電子装置の第３方向を表示する命令を含むことを特徴とする電子装置。
【請求項２７】
前記特定の機器は、サーバ又は前記無線充電パッドであることを特徴とする請求項２６に記載の電子装置。
【請求項２８】
前記電子装置の前面又は後面が向いている前記第２方向を測定する命令をさらに含むことを特徴とする請求項２６に記載の電子装置。
【請求項２９】
前記電子装置の第３方向は、
前記無線充電パッドの一面が向いている方向と前記電子装置の一面とが垂直になるようにする方向であることを特徴とする請求項２６に記載の電子装置。
【請求項３０】
前記電子装置の第３方向を表示する命令は、
現在電子装置の無線充電効率がしきい値より低い時、又は初期無線充電を開始する時に実行されることを特徴とする請求項２６に記載の電子装置。
【請求項３１】
１つ以上のプロセッサ、メモリ、及び前記メモリに格納されており前記１つ以上のプロセッサによって実行されるように構成される１つ以上のプログラムを含む電子装置であって、
前記プログラムは、
無線充電パッドに接続されて無線充電を行う間、無線充電効率を計算し、
前記計算された無線充電効率に相応する結果を出力する命令を含むことを特徴とする電子装置。
【請求項３２】
前記無線充電効率は、
全体無線充電効率と前記電子装置のバッテリ消耗との差で決定され、
前記全体無線充電効率は、
前記無線充電パッドの出力電力と入力電力との割合で決定されることを特徴とする請求項３１に記載の電子装置。
【請求項３３】
前記計算された無線充電効率に相応する結果を出力する命令は、
前記計算された無線充電効率に相応する結果を出力し、前記無線充電効率に応じて、ランプ色を決定し、前記決定されたランプ色でランプを動作させることを特徴とする請求項３１に記載の電子装置。
【請求項３４】
前記計算された無線充電効率に相応する結果を出力する命令は、
前記計算された無線充電効率に相応する結果を出力し、
前記計算された無線充電効率に相応する結果を示す指標（ｉｎｄｉｃａｔｏｒ）、テキスト又は音声に変換し、
前記変換された指標、テキスト又は音声で出力することを特徴とする請求項３１に記載の電子装置。
【発明の詳細な説明】
【技術分野】
【０００１】
本発明は、無線充電に係り、より詳しくは、電子装置に無線充電パッドに関する情報を提供して前記電子装置が効率的に無線充電を行うための方法及び装置に関する。
【背景技術】
【０００２】
携帯電話、スマートフォンなどのモバイル端末は基本的な通信機能の他、無線インターネット機能、電子手帳機能、マルチメディア撮影、再生機能及びゲーム機能、デジタル放送機能などの様々な機能を提供している。このようなモバイル端末は携帯性のために一般にバッテリを具備しており、バッテリの周期的な充電が必要である。一般に、バッテリの充電方法としてはケーブルを用いた有線充電方法が普遍化している。しかし、最近では、無線電力伝送（Ｗｉｒｅｌｅｓｓ  Ｐｏｗｅｒ  Ｔｒａｎｓｆｅｒ：ＷＰＴ）技術が発展するに伴い、無線で充電が可能な無線充電装置が商用化されて普及している。
【０００３】
前記無線電力伝送は、電磁誘導（Ｉｎｄｕｃｔｉｖｅ）方式と電磁気共振（Ｒｅｓｏｎａｎｃｅ）方式とに分類される。前記電磁誘導方式は、電極の直接接触（ｄｉｒｅｃｔ  ｃｏｎｔａｃｔ）はないが、非常に近接した場合にのみ電力の送受信が可能である。したがって、エネルギーを送出する送信側（一般に無線充電パッドと称する場合もある）とエネルギーを受信する受信側（例えば、スマートフォンのような電子装置）とが接触した場合にのみ充電が可能である。一方、電磁気共振方式（Ｒｅｓｏｎａｎｃｅ）は、電源ソースから所定の距離だけ離れている電子装置に電源を供給する方法であって、送信側と受信側とが接触しなくても充電が可能である。
【０００４】
一方、現在、電子装置のユーザが特定の場所（家又は事務室）に移動すると、ユーザは単に特定の場所で無線充電が可能ということを認知するだけで、無線充電パッドに関する情報はユーザに提供されていない。
【０００５】
今後、電磁気共振方式によって無線充電パッドとの無線充電方式を使用する電子装置の間の距離が増え、公共のような場所でユーザが無線充電を利用するようになる可能性が大きい。このような環境で、電子装置を介して無線充電パッドに関する情報をユーザに提供しなければ、ユーザは公共場所で無線充電パッドの位置を認知することが難しい。また、無線充電効率に関する情報をユーザに提供しないので、無線充電効率が低くなってもユーザに提供される情報がなく適切な対応を行えない。例えば、有線充電効率に比べて無線充電効率が低いので、バッテリ消耗量より無線充電量が少ない場合は、無線充電中にも端末の電源が切れる場合があり（ｏｆｆ）、また、ユーザは無線充電されているか否かを認知することが難しい。
【０００６】
上記のように、電子装置に充電パッドに関する情報が提供されないので、ユーザが充電パッドの位置を認知できず、充電パッドの位置を見つけても無線充電効率の把握は難しい。
したがって、無線充電パッドに関する情報を視覚的にユーザに提供して効率的に無線充電する方法及び装置が必要である。
【先行技術文献】
【特許文献】
【０００７】
【特許文献１】韓国特許公開第１０−２０１１−００３７９９９号明細書
【発明の概要】
【発明が解決しようとする課題】
【０００８】
本発明の目的は、電子装置に無線充電パッドに関する情報を表示するための方法及び装置を提供することにある。
【０００９】
本発明の他の目的は、無線充電パッドの位置をユーザが容易に見つけることができ、バッテリ消耗量より無線充電量が少ない環境でユーザが対処できるように無線充電パッドに関する情報をユーザに提供する方法及び装置を提供することにある。
【課題を解決するための手段】
【００１０】
上記目的を達成するための本発明の第１見地によれば、電子装置の無線充電パッドに関する情報を表示するための方法は、前記電子装置が、複数の無線充電パッドに関する情報を受信する段階と、前記電子装置が、前記複数の無線充電パッドに関する情報を画面に表示する段階と、を含む。
【００１１】
上記目的を達成するための本発明の第２見地によれば、電子装置の無線充電パッドに関する情報を表示するための方法は、
前記電子装置が、特定の機器から、無線充電パッドの一面が向いている第１方向に関する情報を受信する段階と、前記電子装置が、前記無線充電パッドの第１方向と電子装置の一面が向いている第２方向とを比較して、最大無線充電効率が得られる方向になるように前記電子装置の第３方向を表示する段階と、を含む。
【００１２】
上記目的を達成するための本発明の第３見地によれば、電子装置の無線充電パッドに関する情報を表示するための方法は、前記電子装置が、無線充電パッドに接続されて無線充電を開始する段階と、無線充電を行う間、前記電子装置が、無線充電効率を計算する段階と、前記電子装置が、前記計算された無線充電効率に相応する結果を出力する段階と、を含む。
前記計算された無線充電効率に相応する結果を出力する段階は、前記無線充電効率に応じて、ランプ色を決定する段階と、前記決定されたランプ色でランプを動作させる段階と、を含む。
【００１３】
上記目的を達成するための本発明の第４見地によれば、１つ以上のプロセッサ、メモリ、及び前記メモリに格納されており前記１つ以上のプロセッサによって実行されるように構成される１つ以上のプログラムを含む電子装置であって、前記プログラムは、複数の無線充電パッドに関する情報を受信し、前記複数の無線充電パッドに関する情報を画面に表示する命令を含む。
【００１４】
上記目的を達成するための本発明の第５見地によれば、１つ以上のプロセッサ、メモリ、及び前記メモリに格納されており前記１つ以上のプロセッサによって実行されるように構成される１つ以上のプログラムを含む電子装置であって、前記プログラムは、特定の機器から、無線充電パッドの一面が向いている第１方向に関する情報を受信し、前記無線充電パッドの第１方向と電子装置の一面が向いている第２方向とを比較して、最大無線充電効率が得られる方向になるように前記電子装置の第３方向を表示する命令を含む。
【００１５】
上記目的を達成するための本発明の第６見地によれば、１つ以上のプロセッサ、メモリ、及び前記メモリに格納されており前記１つ以上のプロセッサによって実行されるように構成される１つ以上のプログラムを含む電子装置であって、前記プログラムは、無線充電パッドに接続されて無線充電を行う間、無線充電効率を計算し、前記計算された無線充電効率に相応する結果を出力する命令を含む。
【発明の効果】
【００１６】
本発明の実施形態によると、無線充電パッドに関する情報を視覚的にユーザに提供して効率的な無線充電が可能となる。
【図面の簡単な説明】
【００１７】
【図１】本発明による電磁誘導方式の無線充電回路構成を示す図である。
【図２】本発明による電磁共振方式の無線充電回路構成を示す図である。
【図３】本発明の実施形態による電子装置で無線充電パッドに関する情報を表示する例を示す図である。
【図４】本発明の実施形態による無線充電パッドと電子装置との間の方向と無線充電効率との関係を示す図である。
【図５】本発明の実施形態による最大無線充電効率を有する電子装置の方向を示す例である。
【図６】本発明の実施形態による最大無線充電効率を有する電子装置の方向を示す例である。
【図７】本発明の実施形態による最大無線充電効率を有する電子装置の方向を示す例である。
【図８】本発明の実施形態による最大無線充電効率を有する電子装置の方向を示す例である。
【図９】本発明の第１実施形態による無線充電効率によるランプ動作を示す図である。
【図１０】本発明の第１実施形態による無線充電効率によるランプ動作を示す図である。
【図１１】本発明の第１実施形態による電子装置で無線充電パッドに関する情報を表示するためのフローチャートである。
【図１２】本発明の第２実施形態による電子装置で無線充電パッドに関する情報を表示するためのフローチャートである。
【図１３】本発明の実施形態による最大無線効率を有する電子装置の方向を示すためのフローチャートである。
【図１４】本発明の実施形態による無線効率に対応するランプ動作を制御するフローチャートである。
【図１５】本発明の実施形態による電子装置の構成を示す図である。
【発明を実施するための形態】
【００１８】
以下、本発明の好ましい実施形態を添付図面を参照して詳しく説明する。なお、本発明を説明するに当たって、関連する公知の機能または構成に対する具体的な説明が本発明の要旨を不要に不明確にする可能性があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００１９】
以下、本発明は電子装置で無線充電パッドに関する情報を表示するための方法及び装置について説明する。
【００２０】
図１は、本発明による電磁誘導方式の無線充電回路構成を示す図である。
電磁誘導方式は、１つのコイルに交流電流が流れると磁力線が発生する際、前記磁力線が近接した他のコイルに電圧が誘起される原理を利用したもので、現在、電力機器で電圧を上げたり下げたりする際に使用する変圧器と同じ原理である。電力用変圧器は、５０Ｈｚあるいは６０Ｈｚ周波数を使用するため、コイルの間に鉄芯を入れて磁力線がよく結合されるようにするが、非接触無線電力伝送方式ではエネルギー伝送効率を上げるために、２つの送受電コイルを数ｃｍ程度まで近接させて使用する。通常、使用可能な伝送距離は約１０ｃｍ程度で、電磁誘導結合のための誘導コイルアンテナの間の整列範囲内で使用されなければならず、応用範囲が限定される。
【００２１】
電磁誘導方式は、伝送距離は短いが様々な出力形態の端末に対応できる。技術的にも比較的容易であり、非接触電源の便利性を有し、小容量電気機器に使用実績が多く、他の方式に比べて技術の完成度と標準化も最も早く進められた。
【００２２】
図１を参照して、電力伝送の原理を見ると、送電部１００では整流回路１０２によって作られた直流をスイッチング回路１０４による高周波信号にして１次側コイルに伝達する。ここで発生した交流磁束は受電部１２０の２次側コイルに誘起されて起電力を発生するようになる。ここで１次側コイルに発生した交流磁束を２次側コイルに印加すると、起電力Ｖ２が発生して電力が伝送される。すなわち、受電部１２０は、２次側コイルに印加された起電力Ｖ２を整流回路１２２を介して直流に変換し、整流回路１２２によって作られた直流をスイッチング回路１２４を介して高周波信号にして負荷（電池）１２６に伝達する。
【００２３】
図２は、本発明による電磁共振方式の無線充電回路構成を示す図である。
電磁共振方式は、互いに離れている共振器の間に非放射型電磁波エネルギーを伝達するものであって、電磁誘導方式と類似しているが、１乃至２ｍ程度の無線電力伝送を行うことができる。電磁共振方式は、エネルギー増幅及び伝達のために共振回路が使用されるが、このような共振器は磁界だけでなく電界を使用してエネルギーを結合させることもできる。
【００２４】
図２を参照すると、電磁誘導方式のように送信回路２００及び受信回路２２０の構成要素としてコイル方式を利用する。動作原理としては電界と磁界の共振を使用する。電磁誘導のようにコイル配列条件によって伝送効率が大きく左右されるが、電磁誘導に比べてコイルの整列が比較的柔軟で、中継方式を利用して利用範囲を拡張できる。
【００２５】
送受電伝送効率差は、各コイルアンテナ２０２，２０４のＬＣ間の共振強度Ｑとコイルとの間の結合係数ｋの関係から判断できるが、Ｑ値とｋ値の積であるＱ×ｋ値が大きく効率を左右する。磁界・電界共振型の伝送効率は伝送距離Ａとコイル直径Ｄとに依存する。電磁誘導方式はＱ値が低くてもコイルの間の距離が近いためｋ値が高くなる。一方、磁界・電界共振型はＱ値が１，０００前後と非常に高い特性がある。そのため、ある程度の距離内ではｋ値が低くても高効率を実現できる。
【００２６】
以下の説明で、図１及び図２の電磁波エネルギーを放射する送電部を無線充電パッドと通称する。
【００２７】
図３は、本発明の実施形態による電子装置で無線充電パッドに関する情報を表示する例を示す図である。
図３を参照すると、電子装置に設置されたマップアプリケーションを介してマップ上に電子装置の現在位置を中心に複数の無線充電パッド３００が表示されるとともに、それぞれの無線充電パッドに接続されて無線充電を行っている電子装置の個数３１０が表示される。そのために、電子装置はサーバから電子装置の現在位置を中心に存在する無線充電パッドの位置情報及びそれぞれの無線充電パッドに接続されて無線充電を行っている電子装置の個数に関する情報を受信するか、又は電子装置がそれぞれの無線充電パッドとＰ２Ｐ通信で接続した後、無線充電パッドの位置情報、及び無線充電パッドに接続されて無線充電を行っている電子装置の個数に関する情報を無線充電パッドから受信する。好ましくは、Ｐ２Ｐ通信はジグビー（ＺｉｇＢｅｅ、登録商標）通信方式に基づくが、本発明に制限されず、赤外線通信（ＩｒＤＡ）方式、ブルートゥース通信方式、ＮＦＣ（Ｎｅａｒ  Ｆｉｅｌｄ  Ｃｏｍｍｕｎｉｃａｔｉｏｎ）通信方式も可能である。
【００２８】
具現によっては、前記無線充電パッドの名称、前記無線充電パッドの充電効率、及び前記無線充電パッドの無線充電範囲に関する情報が電子装置にさらに受信され、電子装置の画面に表示され得る。他の具現によれば、前記無線充電パッドの充電効率、及び前記無線充電パッドの無線充電範囲は、電子装置内で計算されて決定されることもできる。
【００２９】
一方、電磁共振方式の無線充電においては、無線充電パッドの面に垂直な方向（ｚ軸方向）についてのみ位置及び回転自由度（ｄｅｇｒｅｅｓ  ｏｆ  ｆｒｅｅｄｏｍ）があって、無線充電パッドの一面が向いている方向と端末の一面が垂直になる場合に無線充電効率が最大になり、無線充電パッドと端末との間に方向がずれた場合は（すなわち、垂直ではない場合）無線充電効率が低下する。
【００３０】
図４は、本発明の実施形態による無線充電パッドと電子装置との間の方向と無線充電効率との関係を示す図である。
図４を参照すると、無線充電パッド４００の一面が向いている方向と電子装置４１０の一面が垂直に対向する時、無線充電効率が最大になり、もし、電子装置４１０の一面が角度θだけずれて（図４の４１５）、無線充電パッド４００の一面と電子装置４２０の一面とが角度θをなした場合は、無線充電パッド４００の一面が向いている方向と電子装置４１０の一面とが垂直をなした場合に比べ無線充電効率が低下する。
【００３１】
図５乃至図８は、本発明の実施形態による最大無線充電効率を有する電子装置の方向を示す例である。
図５を参照すると、Ｚ方向が電子装置の一面と無線充電パッドの一面が向いている方向とが垂直をなす方向であると仮定した場合、無線充電効率がしきい値以下になる時、電子装置の画面には電子装置の一面と無線充電パッドの一面が向いている方向とが垂直になる方向を表示する。
【００３２】
他の具現によれば、電子装置が無線充電を準備する時、電子装置の画面に電子装置の一面と無線充電パッドの一面が向いている方向とが垂直になる方向が表示され得る。
【００３３】
図９は、本発明の第１実施形態による無線充電効率によるランプ動作を示す図である。
図９を参照すると、ユーザが無線充電中に電子装置にインストールされたアプリケーションが駆動して（例えば、インターネット検索）バッテリが消耗し得る。
この時、無線充電パッドの全体無線充電量と電子装置のバッテリ消耗量との差によって決定される充電可能な効率に応じてランプ６００の色を表示してユーザに知らせる。前記全体無線充電量は、無線充電パッドの出力電力と入力電力との割合によって決定される。
【００３４】
例えば、バッテリ消耗量が無線充電量より大きい場合は（充電可能な効率が負のしきい値より大きい場合）、赤色のランプ６００が駆動され、無線充電量がバッテリ消耗量より若干大きい場合は（充電可能な効率が負のしきい値と正のしきい値との間にある場合）、オレンジ色のランプ６００が駆動され、無線充電量がバッテリ消耗量より相当大きい場合は（充電可能な効率が正のしきい値より大きい場合）、緑色のランプ６００が駆動される。さらに、充電可能な効率が％で表示され得る。
【００３５】
図１０は、本発明の第１実施形態による無線充電効率によるランプ動作を示す図である。
図１０を参照すると、電子装置が無線充電を開始する場合（すなわち、他のアプリケーションがユーザによって実行されていない場合）、無線充電効率がしきい値以上の場合は、ランプ６００の色は緑色になり、しきい値以下の場合、ランプ６００の色は赤色になる。さらに、選択的に全体無線充電効率が％で表示され得る。
【００３６】
図１１は、本発明の第１実施形態による電子装置で無線充電パッドに関する情報を表示するためのフローチャートである。
図１１を参照すると、電子装置は、ステップＳ７００で、周辺にあるそれぞれの無線充電パッドとＰ２Ｐ（Ｐｅｅｒ  ｔｏ  Ｐｅｅｒ）通信で接続して、複数の無線充電パッドに関する情報を受信する。前記無線充電パッドに関する情報は、前記無線充電パッドの位置、及び前記無線充電パッドに接続されて無線充電を行っている端末の個数を含む。具現によれば、前記無線充電パッドに関する情報は、前記無線充電パッドの名称、前記無線充電パッドの充電効率、及び前記無線充電パッドの無線充電範囲などの情報を含む。前記無線充電パッドの充電効率は、前記無線充電パッドの出力電力と入力電力との割合で決定される。
【００３７】
好ましくは、Ｐ２Ｐ通信はジグビー（ＺｉｇＢｅｅ、登録商標）通信方式に基づくが、本発明に制限されず、赤外線通信（ＩｒＤＡ）方式、ブルートゥース通信方式、ＮＦＣ（Ｎｅａｒ  Ｆｉｅｌｄ  Ｃｏｍｍｕｎｉｃａｔｉｏｎ）通信方式も可能である。
【００３８】
その後、電子装置は、ステップＳ７０２で、前記複数の無線充電パッドに関する情報を表示する。例えば、図３のように、マップアプリケーションのような特定のアプリケーションを実行し、マップ上に複数の無線充電パッド及びそれぞれの無線充電パッドに接続されて無線充電を行っている電子装置の個数を表示する。
【００３９】
その後、本発明の手順を終了する。
図１２は、本発明の第２実施形態による電子装置で無線充電パッドに関する情報を表示するためのフローチャートである。
図１２を参照すると、電子装置は、ステップＳ８００で、前記複数の無線充電パッドに関する情報を特定のサーバに要求して受信する。前記無線充電パッドに関する情報は、前記無線充電パッドの位置、及び前記無線充電パッドに接続されて無線充電を行っている端末の個数を含む。具現によれば、前記無線充電パッドに関する情報は、前記無線充電パッドの名称、前記無線充電パッドの充電効率、及び前記無線充電パッドの無線充電範囲などの情報を含む。前記無線充電パッドの充電効率は、前記無線充電パッドの出力電力と入力電力との割合で決定される。
【００４０】
好ましくは、サーバは、電子装置の移動位置に従って、すなわち、電子装置のハンドオーバに従って、電子装置が位置する地点を中心に存在する無線充電パッドに関する情報を電子装置に提供する。
【００４１】
好ましくは、Ｐ２Ｐ通信はジグビー（ＺｉｇＢｅｅ、登録商標）通信方式に基づくが、本発明に制限されず、赤外線通信（ＩｒＤＡ）方式、ブルートゥース通信方式、ＮＦＣ（Ｎｅａｒ  Ｆｉｅｌｄ  Ｃｏｍｍｕｎｉｃａｔｉｏｎ）通信方式も可能である。
【００４２】
また、電子装置は、前記複数の無線充電パッドに関する情報を前記特定のサーバに要求する際、前記特定のサーバに前記電子装置の位置情報を提供することによって、前記電子装置の位置周辺に存在する無線充電パッドに関する情報のみを受信する。
【００４３】
その後、電子装置は、ステップＳ８０２で、前記複数の無線充電パッドに関する情報を表示する。例えば、図３のように、マップアプリケーションのような特定のアプリケーションを実行し、マップ上に複数の無線充電パッド及びそれぞれの無線充電パッドに接続されて無線充電を行っている電子装置の個数を表示する。
その後、本発明の手順を終了する。
【００４４】
図１３は、本発明の実施形態による最大無線効率を有する電子装置の方向を示すためのフローチャートである。
図１３を参照すると、電子装置は、ステップＳ９００で、サーバ又は当該無線充電パッドから、当該無線充電パッドの方向情報を獲得する。換言すれば、電子装置は、前記当該無線充電パッドの一面が向いている第１方向に関する情報を受信する。
【００４５】
その後、電子装置は、ステップＳ９０２で、電子装置の前面又は後面が向いている第２方向を測定する。
前記ステップＳ９００及び前記ステップＳ９０２の段階を順に処理する、又は独立して並列処理できる。
【００４６】
その後、電子装置は、ステップＳ９０４で、前記当該無線充電パッドの第１方向と電子装置の第２方向とを参照して、図５乃至図８のように、最大無線充電効率が得られる方向になるように電子装置の第３方向を画面に表示する。すなわち、前記電子装置の第３方向は、前記無線充電パッドの第１方向と電子装置の一面とが垂直になる電子装置の方向である。
【００４７】
好ましくは、電子装置の無線充電効率がしきい値より低くなる時、前記当該無線充電パッドの第１方向と電子装置の第２方向とを比較して、図５乃至図８のように、最大無線充電効率が得られる方向になるように電子装置の第３方向が画面に表示される。
その後、本発明の手順を終了する。
【００４８】
図１４は、本発明の実施形態による無線効率に対応するランプ動作を制御するフローチャートである。
図１４を参照すると、電子装置は、ステップＳ１０００で、無線充電中であるかを判断し、無線充電中の場合は、ステップＳ１００２に進んで、全体無線充電効率又は充電可能な効率を計算する。全体無線充電効率は、無線充電パッドの出力電力と入力電力との割合で決定され、充電可能な効率は、無線充電パッドの全体無線充電量と電子装置のバッテリ消耗量との差で決定される。
【００４９】
その後、電子装置は、ステップＳ１００４で、前記全体無線充電効率又は前記充電可能な効率に応じて、ランプ色を決定し、ステップ１００６で、前記決定されたランプ色でランプを動作させる。
例えば、全体無線充電効率がしきい値以上の場合、ランプ色は緑色になり、しきい値以下の場合、ランプ色は赤色になる。さらに、選択的に全体無線充電効率が％で表示され得る。
【００５０】
一方、ユーザは無線充電中の場合も電子装置にインストールされたアプリケーションが駆動されてバッテリを消耗し得る。
したがって、無線充電パッドの全体無線充電量と電子装置のバッテリ消耗量との差で決定される充電可能な効率に応じてランプ色を表示してユーザに知らせる。
例えば、バッテリ消耗量が無線充電量より大きい場合は、赤色のランプが駆動され、無線充電量がバッテリ消耗量より若干大きい場合は、オレンジ色のランプが駆動され、無線充電量がバッテリ消耗量より相当大きい場合は、緑色のランプが駆動される。
その後、本発明の手順を終了する。
【００５１】
さらに他の具現によれば、前記全体無線充電効率又は前記充電可能な効率がしきい値以下の場合は、振動によってユーザに通報することもできる。
【００５２】
図１５は、本発明の実施形態による電子装置の構成を示す図である。
電子装置は、携帯用電子装置（ｐｏｒｔａｂｌｅ  ｅｌｅｃｔｒｏｎｉｃ  ｄｅｖｉｃｅ）である場合もあり、携帯端末（ｐｏｒｔａｂｌｅ  ｔｅｒｍｉｎａｌ）、移動端末（ｍｏｂｉｌｅ  ｔｅｒｍｉｎａｌ）、モバイルパッド（ｍｏｂｉｌｅ  ｐａｄ）、メディアプレーヤ（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置であり得る。また、このような装置のうち２種以上の機能を結合した装置を含む任意の携帯用電子装置であり得る。
【００５３】
図１５を参照すると、電子装置は制御機１１００、スピーカ／マイクロホン１１１０、カメラ１１２０、ＧＰＳ受信機１１３０、ＲＦ処理器１１４０、センサモジュール１１５０、タッチスクリーン１１６０、タッチスクリーン制御機１１６５及び拡張メモリ１１７０を含んで構成される。
【００５４】
制御機１１００は、インタフェース１１０１、１つ以上のプロセッサ１１０２，１１０３、及び内部メモリ１１０４を含む。場合によっては、制御機１１００全体をプロセッサと称する場合もある。インタフェース１１０１、アプリケーションプロセッサ１１０２、通信プロセッサ１１０３、内部メモリ１１０４は別個の構成要素である、又は１つ以上の集積化された回路に集積化され得る。
【００５５】
アプリケーションプロセッサ１１０２は、様々なソフトウェアプログラムを実行して電子装置のための様々な機能を行い、通信プロセッサ１１０３は、音声通信及びデータ通信のための処理及び制御を行う。また、このような通常の機能に加え、プロセッサ１１０２，１１０３は、拡張メモリ１１７０又は内部メモリ１１０４に格納されている特定のソフトウェアモジュール（命令セット）を実行してそのモジュールに対応する特定の様々な機能を行う役割も果たす。すなわち、プロセッサ１１０２，１１０３は、拡張メモリ１１７０又は内部メモリ１１０４に保存されたソフトウェアモジュールと連動して本発明の無線充電パッドに関する情報を表示するための動作を行う。
【００５６】
例えば、アプリケーションプロセッサ１１０２が、電子装置周辺にあるそれぞれの無線充電パッドとＰ２Ｐ通信で接続し、複数の無線充電パッドに関する情報を受信し、前記複数の無線充電パッドに関する情報を表示する。前記無線充電パッドに関する情報は、前記無線充電パッドの位置、及び前記無線充電パッドに接続されて無線充電を行っている端末の個数を含む。具現によれば、前記無線充電パッドに関する情報は、前記無線充電パッドの名称、前記無線充電パッドの充電効率、及び前記無線充電パッドの無線充電範囲などの情報を含む。前記無線充電パッドの充電効率は、前記無線充電パッドの出力電力と入力電力との割合で決定される。
【００５７】
例えば、図３のように、マップアプリケーションのような特定のアプリケーションを実行し、マップ上に複数の無線充電パッド及びそれぞれの無線充電パッドに接続されて無線充電を行っている電子装置の個数を表示する。
【００５８】
他の具現において、アプリケーションプロセッサ１１０２が、前記複数の無線充電パッドに関する情報を特定のサーバに要求して受信し、前記複数の無線充電パッドに関する情報を表示する。前記無線充電パッドに関する情報は、前記無線充電パッドの位置、及び前記無線充電パッドに接続されて無線充電を行っている端末の個数を含む。具現によれば、前記無線充電パッドに関する情報は、前記無線充電パッドの名称、前記無線充電パッドの充電効率、及び前記無線充電パッドの無線充電範囲などの情報を含む。前記無線充電パッドの充電効率は、前記無線充電パッドの出力電力と入力電力との割合で決定される。
【００５９】
一方、アプリケーションプロセッサ１１０２は、前記複数の無線充電パッドに関する情報を前記特定のサーバに要求する際、前記特定のサーバに前記電子装置の位置情報を提供することによって、前記電子装置の位置周辺に存在する無線充電パッドに関する情報のみを受信する。
【００６０】
他の実施形態において、アプリケーションプロセッサ１１０２が、サーバ又は当該無線充電パッドから、当該無線充電パッドの方向情報を獲得し、換言すれば、電子装置は前記当該無線充電パッドの一面が向いている第１方向に関する情報を受信し、電子装置の前面又は後面が向いている第２方向を測定し、前記当該無線充電パッドの第１方向と電子装置の第２方向とを参照して、図５乃至図８のように、最大無線充電効率が得られる方向になるように電子装置の第３方向を画面に表示する。前記電子装置の第３方向は、前記無線充電パッドの第１方向と電子装置の一面とが垂直になる電子装置の方向である。
【００６１】
好ましくは、電子装置の無線充電効率がしきい値より低くなる時、前記当該無線充電パッドの第１方向と電子装置の第２方向とを比較して、図５乃至図８のように、最大無線充電効率が得られる方向になるように電子装置の第３方向が画面に表示される。さらに他の具現で、電子装置で無線充電が開始される時、前記当該無線充電パッドの第１方向と電子装置の第２方向とを比較して、図５乃至図８のように、最大無線充電効率が得られる方向になるように電子装置の第３方向が画面に表示され得る。
【００６２】
他の実施形態において、アプリケーションプロセッサ１１０２が、無線充電中であるかを判断し、無線充電中の場合は全体無線充電効率又は充電可能な効率を計算し、前記全体無線充電効率又は前記充電可能な効率に応じて、ランプ色を決定して前記決定されたランプ色でランプを動作させる。全体無線充電効率は、無線充電パッドの出力電力と入力電力との割合で決定され、充電可能な効率は、無線充電パッドの全体無線充電量と電子装置のバッテリ消耗量との差で決定される。
【００６３】
例えば、全体無線充電効率がしきい値以上の場合は、ランプ色は緑色になり、しきい値以下の場合は、ランプ色は赤色になる。さらに、選択的に全体無線充電効率が％で表示され得る。
【００６４】
又は、バッテリ消耗量が無線充電量より大きい場合は、赤色のランプが駆動され、無線充電量がバッテリ消耗量より若干大きい場合は、オレンジ色のランプが駆動され、無線充電量がバッテリ消耗量より相当大きい場合は、緑色のランプが駆動される。
【００６５】
一方、他のプロセッサ（図示せず）は、１つ以上のデータプロセッサ、イメージプロセッサ、又はコーデックを含み得る。データプロセッサ、イメージプロセッサ又はコーデックは別途構成することもできる。また、互いに異なる機能を行ういくつかのプロセッサで構成されることもできる。インタフェース１１０１は、電子装置のタッチスクリーン制御機１１６５及び拡張メモリ１１７０に接続される。
【００６６】
センサモジュール１１５０は、インタフェース１１０１に結合されて様々な機能を可能にできる。例えば、モーションセンサ及び光センサがインタフェース１１０１に結合され、それぞれ電子装置のモーション感知及び外部からの光感知を可能にできる。その他にも、位置測定システム、温度センサ又はバイオセンサなどのようなその他センサがインタフェース１１０１に接続されて関連機能を行う。
【００６７】
カメラ１１２０は、インタフェース１１０１を介してセンサモジュール１１５０と結合し、写真及びビデオクリップレコーディングのようなカメラ機能を行う。
【００６８】
ＲＦ処理器１１４０により、通信機能が行われる。例えば、通信プロセッサ１１０３の制御下にＲＦ信号を基底帯域信号に変換して通信プロセッサ１１０３で提供する、又は通信プロセッサ１１０３からの基底帯域信号をＲＦ信号に変換して送信する。ここで、通信プロセッサ１１０３は、様々な通信方式で基底帯域信号を処理する。例えば、通信方式は、これらに限定されないが、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）通信方式、ＥＤＧＥ（Ｅｎｈａｎｃｅｄ  Ｄａｔａ  ＧＳＭ  Ｅｎｖｉｒｏｎｍｅｎｔ）通信方式、ＣＤＭＡ（Ｃｏｄｅ  Ｄｉｖｉｓｉｏｎ  Ｍｕｌｔｉｐｌｅ  Ａｃｃｅｓｓ）通信方式、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）通信方式、ＬＴＥ（Ｌｏｎｇ  Ｔｅｒｍ  Ｅｖｏｌｕｔｉｏｎ）通信方式、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式、Ｗｉ−Ｆｉ（Ｗｉｒｅｌｅｓｓ  Ｆｉｄｅｌｉｔｙ）通信方式、ＷｉＭａｘ通信方式又は／及びＢｌｕｅｔｏｏｔｈ（登録商標）通信方式、ジグビー（ＺｉｇＢｅｅ、登録商標）通信方式、赤外線通信（ＩｒＤＡ）方式、ＮＦＣ（Ｎｅａｒ  Ｆｉｅｌｄ  Ｃｏｍｍｕｎｉｃａｔｉｏｎ）通信を含む。
【００６９】
スピーカ／マイクロホン１１１０は、音声認識、音声複製、デジタルレコーディング（ｒｅｃｏｒｄｉｎｇ）及び電話機能のようなオーディオストリームの入力及び出力を担当する。すなわち、スピーカ／マイクロホン１１１０は、音声信号を電気信号に変換する、又は電気信号を音声信号に変換する。図示していないが、脱着可能な（ａｔｔａｃｈａｂｌｅ  ａｎｄ  ｄｅｔａｃｈａｂｌｅ）イヤホン（ｅａｒ  ｐｈｏｎｅ）、ヘッドホン（ｈｅａｄ  ｐｈｏｎｅ）又はヘッドセット（ｈｅａｄ  ｓｅｔ）が外部ポートを介して電子装置に接続され得る。
【００７０】
タッチスクリーン制御機１１６５は、タッチスクリーン１１６０に結合される。タッチスクリーン１１６０及びタッチスクリーン制御機１１６５は、以下に限定しないが、タッチスクリーン１１６０との１つ以上の接触点を決定するための容量性、抵抗性、赤外線及び表面音響波技術だけでなくその他近接センサ配列又はその他要素を含む任意のマルチタッチ感知技術を用いて接触及びモーション又はこれらの中断を検出できる。
【００７１】
タッチスクリーン１１６０は、電子装置とユーザとの間に入力／出力インタフェースを提供する。すなわち、タッチスクリーン１１６０は、ユーザのタッチ入力を電子装置に伝達する。また、電子装置からの出力をユーザに示す媒介体である。すなわち、タッチスクリーンはユーザに視覚的な出力を示す。このような視覚的出力（ｖｉｓｕａｌ  ｏｕｔｐｕｔ）はテキスト（ｔｅｘｔ）、グラフィック（ｇｒａｐｈｉｃ）、ビデオ（ｖｉｄｅｏ）及びこれらの組み合わせの形態で示される。
【００７２】
タッチスクリーン１１６０は、様々なディスプレイが使用され得る。例えば、これに限定しないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇ  ｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）又はＦＬＥＤ（Ｆｌｅｘｉｂｌｅ  ＬＥＤ）を使用できる。
【００７３】
ＧＰＳ受信機１１３０は、人工衛星から受けた信号を位置、速度、時間などの情報に変換する。例えば、衛星とＧＰＳ受信機との間の距離は、光の速度に信号到達時間を掛けて計算され、３つの衛星の正確な位置と距離を求めて公知の三角測量の原理に基づいて電子装置の位置が測定される。
【００７４】
拡張メモリ１１７０又は内部メモリ１１０４は、１つ以上の磁気ディスク保存装置のような高速ランダムアクセスメモリ及び／又は不揮発性メモリ、１つ以上の光保存装置及び／又はフラッシュメモリ（例えば、ＮＡＮＤ、ＮＯＲ）を含み得る。
【００７５】
拡張メモリ１１７０又は内部メモリ１１０４は、ソフトウェアを格納する。ソフトウェア構成要素は、オペレーションシステム（ｏｐｅｒａｔｉｎｇ  ｓｙｓｔｅｍ）ソフトウェアモジュール、通信ソフトウェアモジュール、グラフィックソフトウェアモジュール、ユーザインタフェースソフトウェアモジュール及びＭＰＥＧモジュール、カメラソフトウェアモジュール、１つ以上のアプリケーションソフトウェアモジュールなどを含む。また、ソフトウェア構成要素であるモジュールは命令の集合で表現できるので、モジュールを命令セット（ｉｎｓｔｒｕｃｔｉｏｎ  ｓｅｔ）と表現する場合もある。また、モジュールはプログラムと表現する場合もある。
【００７６】
オペレーションシステムソフトウェアは、一般的なシステム動作（ｓｙｓｔｅｍ  ｏｐｅｒａｔｉｏｎ）を制御する様々なソフトウェア構成要素を含む。かかる一般的なシステム動作作動の制御は、例えば、メモリ管理及び制御、保存用ハードウェア（装置）の制御及び管理、電力制御及び管理などを意味する。このようなオペレーションシステムソフトウェアは、様々なハードウェア（装置）とソフトウェア構成要素（モジュール）との間の通信を円滑にする機能も行う。
【００７７】
通信ソフトウェアモジュールは、ＲＦ処理器１１４０を介してコンピュータ、サーバ及び／又は携帯端末など他の電子装置と通信を可能にできる。そして、通信ソフトウェアモジュールは、当該通信方式に該当するプロトコル構造に構成される。
【００７８】
グラフィックソフトウェアーモジュールは、タッチスクリーン１１６０上にグラフィックを提供して表示するための様々なソフトウェア構成要素を含む。グラフィック（ｇｒａｐｈｉｃｓ）という用語は、テキスト（ｔｅｘｔ）、ウェブページ（ｗｅｂ  ｐａｇｅ）、アイコン（ｉｃｏｎ）、デジタルイメージ（ｄｉｇｉｔａｌ  ｉｍａｇｅ）、ビデオ（ｖｉｄｅｏ）、アニメーション（ａｎｉｍａｔｉｏｎ）などを含む意味として用いられる。
【００７９】
ユーザインタフェースソフトウェアモジュールは、ユーザインタフェースに関連した様々なソフトウェア構成要素を含む。ユーザインタフェースの状態がどのように変更されるか又はユーザインタフェース状態の変更がどのような条件で行われるか等に関する内容を含む。
【００８０】
カメラソフトウェアモジュールは、カメラ関連のプロセス及び機能を可能にするカメラ関連のソフトウェア構成要素を含む。アプリケーションモジュールは、レンダリングエンジンを含むウェブブラウザ（ｂｒｏｗｓｅｒ）、電子メール（ｅｍａｉｌ）、インスタントメッセージ（ｉｎｓｔａｎｔ  ｍｅｓｓａｇｅ）、ワードプロセッシング（ｗｏｒｄ  ｐｒｏｃｅｓｓｉｎｇ）、キーボードエミュレーション（ｋｅｙｂｏａｒｄ  ｅｍｕｌａｔｉｏｎ）、アドレスブック（ａｄｄｒｅｓｓ  ｂｏｏｋ）、タッチリスト（ｔｏｕｃｈ  ｌｉｓｔ）、ウィジェット（ｗｉｄｇｅｔ）、デジタル著作権管理（ＤＲＭ：Ｄｉｇｉｔａｌ  Ｒｉｇｈｔ  Ｍａｎａｇｅｍｅｎｔ）、音声認識（ｖｏｉｃｅ  ｒｅｃｏｇｎｉｔｉｏｎ）、音声複製、位置決定機能（ｐｏｓｉｔｉｏｎ  ｄｅｔｅｒｍｉｎｉｎｇ  ｆｕｎｃｔｉｏｎ）、ロケーションベースサービス（ｌｏｃａｔｉｏｎ  ｂａｓｅｄ  ｓｅｒｖｉｃｅ）などを含む。メモリ１１７０，１１０４は、上記及び下記のモジュール以外に追加的なモジュール（命令）を含むことができる。又は、必要に応じて、一部のモジュール（命令）を使用しない場合もある。
【００８１】
本発明に関連して、アプリケーションモジュールは、ウェブページ内の特定のオブジェクトを調節するための命令（図１１乃至図１４参照）を含む。
例えば、アプリケーションモジュールは、電子装置周辺にあるそれぞれの無線充電パッドとＰ２Ｐ通信で接続し、複数の無線充電パッドに関する情報を受信し、前記複数の無線充電パッドに関する情報を表示する命令を含む。前記無線充電パッドに関する情報は、前記無線充電パッドの位置、及び前記無線充電パッドに接続されて無線充電を行っている端末の個数を含む。具現によれば、前記無線充電パッドに関する情報は、前記無線充電パッドの名称、前記無線充電パッドの充電効率、及び前記無線充電パッドの無線充電範囲などの情報を含む。前記無線充電パッドの充電効率は、前記無線充電パッドの出力電力と入力電力との割合で決定される。
【００８２】
他の具現において、アプリケーションモジュールは、前記複数の無線充電パッドに関する情報を特定のサーバに要求して受信し、前記複数の無線充電パッドに関する情報を表示する命令を含む。前記無線充電パッドに関する情報は、前記無線充電パッドの位置、及び前記無線充電パッドに接続されて無線充電を行っている端末の個数を含む。具現によれば、前記無線充電パッドに関する情報は、前記無線充電パッドの名称、前記無線充電パッドの充電効率、及び前記無線充電パッドの無線充電範囲などの情報を含む。前記無線充電パッドの充電効率は、前記無線充電パッドの出力電力と入力電力との割合で決定される。
【００８３】
一方、前記複数の無線充電パッドに関する情報を前記特定のサーバに要求する際、前記特定のサーバに前記電子装置の位置情報を提供することによって、前記電子装置の位置周辺に存在する無線充電パッドに関する情報のみを受信する。
【００８４】
他の実施形態において、アプリケーションモジュールは、サーバ又は当該無線充電パッドから、当該無線充電パッドの方向情報を獲得し、換言すれば、電子装置は前記当該無線充電パッドの一面が向いている第１方向に関する情報を受信し、電子装置の前面又は後面が向いている第２方向を測定し、前記当該無線充電パッドの第１方向と電子装置の第２方向とを参照して、図５乃至図８のように、最大無線充電効率が得られる方向になるように電子装置の第３方向を画面に表示する命令を含む。前記電子装置の第３方向は、前記無線充電パッドの第１方向と電子装置の一面とが垂直になる電子装置の方向である。
【００８５】
好ましくは、電子装置の無線充電効率がしきい値より低い時、又は電子装置で無線充電が開始される時、前記当該無線充電パッドの第１方向と電子装置の第２方向とを比較して、図５乃至図８のように、最大無線充電効率が得られる方向になるように電子装置の第３方向が画面に表示される。
【００８６】
他の実施形態において、アプリケーションモジュールは、無線充電中であるかを判断し、無線充電中の場合は全体無線充電効率又は充電可能な効率を計算し、前記全体無線充電効率又は前記充電可能な効率に応じて、ランプ色を決定して前記決定されたランプ色でランプを動作させる命令を含む。全体無線充電効率は、無線充電パッドの出力電力と入力電力との割合で決定され、充電可能な効率は、無線充電パッドの全体無線充電量と電子装置のバッテリ消耗量との差で決定される。
【００８７】
例えば、全体無線充電効率がしきい値以上の場合は、ランプ色は緑色になり、しきい値以下の場合は、ランプ色は赤色になる。さらに、選択的に全体無線充電効率が％で表示され得る。
又は、バッテリ消耗量が無線充電量より大きい場合は、赤色のランプが駆動され、無線充電量がバッテリ消耗量より若干大きい場合は、オレンジ色のランプが駆動され、無線充電量がバッテリ消耗量より相当大きい場合は、緑色のランプが駆動される。
【００８８】
また、上記及び下記の本発明による電子装置の様々な機能は、１つ以上のプロセッシング（ｐｒｏｃｅｓｓｉｎｇ）及び／又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  ｃｉｒｃｕｉｔ）を含むハードウェア及び／又はソフトウェア及び／又はこれらの組み合わせによって実行され得る。
【００８９】
上記のように、ユーザに無線充電パッドに関する情報を提供することによって、無線充電パッドの位置をユーザが容易に見つけることができる利点がある。
また、有線充電効率に比べ無線充電効率が低下する環境で、無線充電に関する情報をユーザに視覚的に表示して提供することによって、無線充電中に無線充電効率が最大になる位置を提供し、機器を使用する間に無線充電を行う場合、ユーザが適切な対応を行うようにガイドできる。
【００９０】
一方、本発明の詳細な説明では具体的な実施形態について説明したが、本発明の範囲から逸脱しない限度内で様々な変形が可能であることは勿論である。したがって、本発明の範囲は説明された実施形態に限定されて定められてはならず、後述する特許請求の範囲のみでなくこの特許請求の範囲と均等なものによって定められるべきである。
【符号の説明】
【００９１】
１００  送電部
１２０  受電部
２００  送信回路
２２０  受信回路
３００、４００  無線充電パッド
４１０  電子装置
６００  ランプ
【図１】
2014135885.tif 000003
【図２】
2014135885.tif 000004
【図３】
2014135885.tif 000005
【図４】
2014135885.tif 000006
【図５】
2014135885.tif 000007
【図６】
2014135885.tif 000008
【図７】
2014135885.tif 000009
【図８】
2014135885.tif 000010
【図９】
2014135885.tif 000011
【図１０】
2014135885.tif 000012
【図１１】
2014135885.tif 000013
【図１２】
2014135885.tif 000014
【図１３】
2014135885.tif 000015
【図１４】
2014135885.tif 000016
【図１５】
2014135885.tif 000017